(57)【要約】【課題】  普通電動役物の羽根部材が開放したときに上方から流下する遊技球が普通電動役物に入賞し易いパチンコ機を実現する。【解決手段】  第１始動口７５が開口された第１種始動口装置７０の下方に普通電動役物２０が配置されている。当り普通図柄が停止表示されると、普通電動役物２０の開閉翼片２１，２２が開放され、第２始動口２０ａが開口する。このとき、第１種始動口装置７０の誘導部材７１が後方へ回動して遊技盤の裏面側へ退避し、第１始動口７５が閉口され、第２始動口２０ａの上方には障害物がなくなるため、第２始動口２０ａに入賞し易くなる。【選択図】  図３
2006102351.tif 000002
【特許請求の範囲】
【請求項１】
遊技球を受け入れる第１の受入口を有する第１の遊技球受入れ装置と、
この第１の遊技球受入れ装置の下方に設けられており、遊技球を受入れる第２の受入口を有する第２の遊技球受入れ装置とを備えており、
前記第１の遊技球受入れ装置は、
遊技盤の表面から突出することにより、遊技球の流下経路に前記第１の受入口を形成する形態と、遊技盤の表面から裏面側へ退避することにより前記第１の受入口を形成しない形態とに変化可能な第１の誘導部材を備えており、
前記第２の遊技球受入れ装置は、
遊技領域の上方から流下する遊技球を前記第２の受入口へ誘導する形態と誘導しない形態とに変化可能な第２の誘導部材を備えており、
前記第２の誘導部材が前記第２の受入口へ遊技球を誘導する形態に変化しているときは、前記第１の誘導部材を前記遊技盤の表面から裏面側へ退避させた形態に変化させる制御装置を備えたことを特徴とするパチンコ機。
【請求項２】
前記制御装置は、
前記第２の誘導部材が前記第２の受入口へ遊技球を誘導しない形態から誘導する形態に変化したときに、前記第１の誘導部材を前記遊技盤の表面から裏面側へ退避させることを特徴とする請求項１に記載のパチンコ機。
【請求項３】
前記制御装置は、
前記第２の誘導部材が前記第２の受入口へ遊技球を誘導する形態から誘導しない形態に変化したときに、前記第１の誘導部材を前記遊技盤の表面から突出させることを特徴とする請求項１に記載のパチンコ機。
【請求項４】
前記制御装置は、
単一のアクチュエータと、
このアクチュエータの動作を、前記第２の誘導部材の前記各形態の変化に変換する第１の変換手段と、
この第１の変換手段により形態が変化するときの前記第２の誘導部材の動作を、前記第１の誘導部材の前記各形態の変化に変換する第２の変換手段とを備えることを特徴とする請求項１ないし請求項３のいずれか１つの記載のパチンコ機。
【請求項５】
複数の第１の図柄を変動表示する第１の図柄表示装置と、
遊技球が前記第１の受入口または前記第２の受入口に受入れられたときに複数の第２の図柄を変動表示する第２の図柄表示装置と、
この第２の図柄表示装置により変動表示された第２の図柄が第２の当り図柄にて停止したときに入賞口を開口する入賞装置とを備えており、
前記制御装置は、
前記第１の図柄表示装置により変動表示された第１の図柄が第１の当り図柄にて停止したときに、前記第２の誘導部材を前記第２の受入口に遊技球を誘導する形態に変化させることを特徴とする請求項１ないし請求項４のいずれか１つの記載のパチンコ機。
【請求項６】
前記第１の誘導部材は、前記第２の誘導部材が前記第２の受入口へ遊技球を誘導しない形態に変化しているときに前記遊技盤の表面から突出することにより、前記第１の受入口に受入れられた遊技球を前記第２の受入口へ誘導するように構成されたことを特徴とする請求項１ないし請求項５のいずれか１つの記載のパチンコ機。
【発明の詳細な説明】
【技術分野】
【０００１】
この発明は、遊技球の受入口を上下に備えたパチンコ機に関する。
【背景技術】
【０００２】
図１４は従来のパチンコ機の正面説明図であり、図１５は図１４に示すパチンコ機に備えられた第１種始動口および普通電動役物の拡大図である。
パチンコ機５００に備えられた発射レバー５０１を右回転させると、遊技球発射装置（図示省略）が作動し、上皿５０９に貯留されている遊技球が遊技領域５０２へ発射され、その発射された遊技球は遊技領域５０２を流下する。その遊技球が遊技領域５０２に設けられた第１種始動口５０３に入賞すると、賞球払出装置（図示省略）が作動し、所定個数の遊技球が賞球として上皿５０９に払出され、特別図柄表示装置５０４が複数の特別図柄（例えば０〜９の数字を表現した特別図柄）を配列した図柄列を横方向３つの表示領域にて上下方向に変動表示する。
また、遊技球が普通図柄作動ゲート５０５を通過すると、特別図柄表示装置５０４が複数の普通図柄（例えば○や×などの記号を表現した普通図柄）を縁の方の表示領域にて変動表示する。そして、その変動表示から所定時間経過すると、普通図柄の変動表示が終了し、当り普通図柄（例えば○）またはハズレ普通図柄（例えば×）を停止表示する。その当り普通図柄が停止表示されると、第１種始動口５０３の下方に設けられた普通電動役物５０６が羽根形状の羽根部材５０６ａ，５０６ａ（図１５）を所定時間（例えば１秒）開放させる。なお、羽根部材５０６ａ，５０６ａは、当り普通図柄が停止表示されない通常時は、図１５において一点鎖線で示すように閉成されている。
【０００３】
羽根部材５０６ａ，５０６ａに入賞した遊技球は、第１種始動口５０３に入賞した遊技球を検出する検出スイッチによって検出され、特別図柄表示装置５０４が特別図柄の変動表示を開始する。つまり、羽根部材５０６ａ，５０６ａを開放した普通電動役物５０６は、第１種始動口５０３と同じ役割をする。
特別図柄表示装置５０４は、特別図柄の変動表示を開始してから所定時間経過すると、３つの表示領域にて計３つの停止図柄を表示する。その停止図柄が大当り図柄（例えば図１４に示すような７７７などの揃目）であった場合は大当りが発生し、開閉扉５０７が開放され、大入賞口５０８が開口する。そして、大入賞口５０８に入賞した遊技球の数が規定数（例えば１０個）に達したという条件、あるいは、大入賞口５０８が開口してから規定時間（例えば約３０秒）に達したという条件のいずれかが満足されたときに開閉扉５０７が閉成し、大入賞口５０８が閉口する。大入賞口５０８の開口から閉口までを１ラウンドとし、大入賞口５０８に入賞した遊技球が大入賞口５０８の内部に設けられた特別領域を通過したことを条件に次のラウンドに進むことができ、規定のラウンド数（例えば１５ラウンド）の大当り遊技を行うことができる。
【０００４】
【特許文献１】実開昭６０−８１５８２号公報
【発明の開示】
【発明が解決しようとする課題】
【０００５】
しかし、前述の従来のパチンコ機５００は、図１５に示すように、第１種始動口５０３が前方へ突出しており、その突出した部分の上面に入賞口５０３ａを形成した構造であるため、普通電動役物５０６の羽根部材５０６ａ，５０６ａが開放したときに、第１種始動口５０３が障害となり、上方から流下してきた遊技球が入賞口５０６ｂ，５０６ｂに入賞し難いという問題がある。
特に、羽根部材５０６ａ，５０６ａの開放時間が短いため、折角、普通図柄の当りを引き当てても、入賞口５０６ｂへの入賞が困難となってしまうので、遊技者の普通電動役物５０６に対する関心が薄れてしまい、普通電動役物５０６の存在意義がなくなっている。
なお、特許文献１には、玉受板の下方に可動翼片を設けた入賞玉受口器が記載されているが、可動翼片が開放されたときに玉受板も開放するため、前述と同じ問題が発生する。
【０００６】
そこでこの発明は、上述の問題を解決するためになされたものであり、普通電動役物の羽根部材が開放したときに上方から流下する遊技球が普通電動役物に入賞し易いパチンコ機を実現することを目的とする。
【課題を解決するための手段】
【０００７】
この発明は、上記目的を達成するため、請求項１に記載の発明では、遊技球（Ｐ）を受け入れる第１の受入口（７５）を有する第１の遊技球受入れ装置（７０）と、この第１の遊技球受入れ装置（７０）の下方に設けられており、遊技球（Ｐ）を受入れる第２の受入口（２０ａ）を有する第２の遊技球受入れ装置（２０）とを備えており、前記第１の遊技球受入れ装置（７０）は、遊技盤（５）の表面から突出することにより、遊技球（Ｐ）の流下経路に前記第１の受入口（７５）を形成する形態と、遊技盤（５）の表面（５ａ）から裏面（５ｂ）側へ退避することにより前記第１の受入口（７５）を形成しない形態とに変化可能な第１の誘導部材（７１）を備えており、前記第２の遊技球受入れ装置（２０）は、遊技領域の上方から流下する遊技球（Ｐ）を前記第２の受入口（２０ａ）へ誘導する形態と誘導しない形態とに変化可能な第２の誘導部材（２１，２２）を備えており、前記第２の誘導部材（２１，２２）が前記第２の受入口（２０ａ）へ遊技球（Ｐ）を誘導する形態に変化しているときは、前記第１の誘導部材（７１）を前記遊技盤（５）の表面（５ａ）から裏面（５ｂ）側へ退避させた形態に変化させる制御装置（２１ｃ〜２１ｅ、２２ｃ〜２２ｅ、２５〜２７、７８、１１２）を備えたという技術的手段を用いる。
【０００８】
請求項２に記載の発明では、請求項１に記載のパチンコ機において、前記制御装置は、前記第２の誘導部材が前記第２の受入口へ遊技球を誘導しない形態から誘導する形態に変化したときに、前記第１の誘導部材を前記遊技盤の表面から裏面側へ退避させるという技術的手段を用いる。
なお、請求項１および請求項２において「前記第１の誘導部材を前記遊技盤の表面から裏面側へ退避させる」とは、第１の誘導部材の全部が完全に遊技盤の裏面側へ退避した状態の他、第１の誘導部材の一部が遊技盤の表面から遊技球の流下の障害とならない程度に突出している状態を含む意味である。
【０００９】
請求項３に記載の発明では、請求項１に記載のパチンコ機において、前記制御装置は、前記第２の誘導部材が前記第２の受入口へ遊技球を誘導する形態から誘導しない形態に変化したときに、前記第１の誘導部材を前記遊技盤の表面から突出させるという技術的手段を用いる。
【００１０】
請求項４に記載の発明では、請求項１ないし請求項３のいずれか１つの記載のパチンコ機において、前記制御装置は、単一のアクチュエータ（２５）と、このアクチュエータの動作を、前記第２の誘導部材の前記各形態の変化に変換する第１の変換手段（２６、２７）と、この第１の変換手段により形態が変化するときの前記第２の誘導部材の動作を、前記第１の誘導部材の前記各形態の変化に変換する第２の変換手段（２１ｃ〜２１ｅ、２２ｃ〜２２ｅ、７８）とを備えることを特徴とする。
【００１１】
請求項５に記載の発明では、請求項１ないし請求項４のいずれか１つの記載のパチンコ機において、複数の第１の図柄を変動表示する第１の図柄表示装置（３４）と、遊技球が前記第１の受入口または前記第２の受入口に受入れられたときに複数の第２の図柄を変動表示する第２の図柄表示装置（３２）と、この第２の図柄表示装置により変動表示された第２の図柄が第２の当り図柄にて停止したときに入賞口を開口する入賞装置（４０）とを備えており、前記制御装置は、前記第１の図柄表示装置により変動表示された第１の図柄が第１の当り図柄にて停止したときに、前記第２の誘導部材を前記第２の受入口に遊技球を誘導する形態に変化させるという技術的手段を用いる。
【００１２】
請求項６に記載の発明では、請求項１ないし請求項５のいずれか１つの記載のパチンコ機において、前記第１の誘導部材（９１）は、前記第２の誘導部材が前記第２の受入口へ遊技球を誘導しない形態に変化しているときに前記遊技盤の表面から突出することにより、前記第１の受入口（９４）に受入れられた遊技球を前記第２の受入口（２０ａ）へ誘導するように構成されたという技術的手段を用いる。
なお、上記の括弧内の符号は、後述する実施形態において使用する符号と対応するものである。
【発明の効果】
【００１３】
（請求項１に係る発明の効果）
第２の誘導部材が第２の受入口へ遊技球を誘導する形態に変化しているときは、第１の誘導部材を遊技盤の表面から裏面側へ退避させた形態に変化させることができるため、遊技盤の上方から第２の受入口に向かって流下する遊技球が、第１の誘導部材によって邪魔されることがない。
たとえば、後述する実施形態に記載するように、普通電動役物２０（請求項１の第２の遊技球受入れ装置に対応）の開閉翼片２１，２２（第２の誘導部材に対応）が開放され、第２始動口２０ａ（第２の受入口に対応）を開口しているときは、第１種始動口装置７０（第１の遊技球受入れ装置に対応）の誘導部材７１（第１の誘導部材に対応）は、回動軸７６，７７を回動中心として後方へ回動し、遊技盤５の表面５ａから裏面５ｂ側へ退避するため、上方から第２始動口２０ａに向かって流下する遊技球Ｐに対して誘導部材７１が障害となるおそれがない。
したがって、普通電動役物の開閉翼片が開放したときに上方から流下する遊技球が普通電動役物に入賞し易いパチンコ機を実現することができる。
【００１４】
（請求項２に係る発明の効果）
第２の誘導部材が第２の受入口へ遊技球を誘導しない形態から誘導する形態に変化したときに、第１の誘導部材を遊技盤の表面から裏面側へ退避させることができるため、遊技盤の上方から第２の受入口に向かって流下する遊技球が、第１の誘導部材によって邪魔されない状態を直ぐに作り出すことができる。
たとえば、後述する実施形態に記載するように、開閉翼片２１，２２（第２の誘導部材に対応）が開放されたと同時に、誘導部材７１（第１の誘導部材に対応）を遊技盤５の裏面５ｂ側へ退避させることにより、第２始動口２０ａに向かって流下する遊技球Ｐに対して誘導部材７１が障害となる状態を直ぐに作り出すことができる。
したがって、誘導部材７１が第２の受入口に対する入賞の障害となる期間を最大限なくすことができる。
【００１５】
（請求項３に係る発明の効果）
第２の誘導部材が第２の受入口へ遊技球を誘導する形態から誘導しない形態に変化したときに、第１の誘導部材を遊技盤の表面から突出させることができるため、遊技球を第１の受入口に受け入れさせることができる。また、第１の誘導部材が、上方から第２の受入口へ流下する遊技球の障害となるため、遊技球を第２の受入口に受入れ難くすることができる。
たとえば、後述する実施形態に記載するように、開閉翼片２１，２２（第２の誘導部材に対応）が閉成されたと同時に、誘導部材７１（第１の誘導部材に対応）を遊技盤５の表面５ａから突出させることにより、遊技球Ｐを第１の第１種始動口７５に入賞させることができる。また、誘導部材７１が、閉成された開閉翼片２１，２２の先端間に形成された開口部を塞ぐ形態となるため、第１の第１種始動口７５にのみ入賞が可能となる。
【００１６】
（請求項４に係る発明の効果）
単一のアクチュエータにより、第１および第２の誘導部材を各形態に変化させることができるため、複数のアクチュエータを使用する場合よりもアクチュエータが少ない分、パチンコ機の製造コストを低減することができる。
たとえば、後述する実施形態に記載するように、単一の普通電動役物ソレノイド２５（アクチュエータに対応）を使用して誘導部材７１の回動および開閉翼片２１，２２の開閉を行うことができるため、誘導部材７１および開閉翼片２１，２２を個別に動作させるソレノイドを計２個使用する場合よりもパチンコ機の製造コストを低減することができる。
【００１７】
（請求項５に係る発明の効果）
第１の図柄表示装置により変動表示された第１の図柄が第１の当り図柄にて停止したときに、第２の誘導部材を第２の受入口に遊技球を誘導する形態に変化させ、第２の受入口に遊技球が受入れられたときに第２の図柄表示装置が複数の第２の図柄を変動表示し、その変動表示された第２の図柄が第２の当り図柄にて停止したときに入賞口を開口する入賞装置を備えた構成のパチンコ機にあっては、遊技球が第２の受入口に受入れ易いほど、遊技者に有利であり、魅力のあるパチンコ機になる。
そこで、そのようなパチンコ機において請求項１ないし請求項４のいずれか１つに係る発明を適用すれば、遊技球が第２の受入口に受入れ易くすることができるため、遊技者に有利で魅力のあるパチンコ機を実現することができる。
たとえば、後述する実施形態に記載するパチンコ機１は、普通図柄表示装置３４（第１の図柄表示装置に対応）により変動表示された普通図柄（第１の図柄に対応）が当り普通図柄（第１の当り図柄に対応）にて停止したときに、普通電動役物２０の開閉翼片２１，２２（第２の誘導部材に対応）を開放して第２始動口２０ａ（第２の受入口に対応）を開口させ、第２始動口２０ａに遊技球が入賞したときに特別図柄表示装置３２（第２の図柄表示装置に対応）複数の特別図柄（第２の図柄に対応）を変動表示し、その変動表示された特別図柄が大当り図柄（第２の当り図柄に対応）にて停止したときに大入賞口（入賞口に対応）を開口する変動入賞装置４０（入賞装置に対応）を備える。
そして、パチンコ機１は、開閉翼片２１，２２が開放されたときに誘導部材７１を遊技盤５の裏面５ｂ側に退避させることができ、上方から第２始動口２０ａに向けて流下した遊技球に対して誘導部材７１が障害となるおそれがないため、第２始動口２０ａに入賞し易くすることができるので、遊技者に有利で魅力のあるパチンコ機を実現することができる。
【００１８】
（請求項６に係る発明の効果）
第２の誘導部材が第２の受入口へ遊技球を誘導しない形態に変化しているときに第１の誘導部材が遊技盤の表面から突出することにより、第１の受入口に受入れられた遊技球を第２の受入口へ誘導するように構成されたパチンコ機にあっても請求項１ないし請求項５のいずれか１つに係る発明を適用することができ、各発明と同様の効果を奏することができる。
たとえば、後述する第３実施形態のパチンコ機は、開閉翼片２１，２２（第２の誘導部材に対応）が閉成されているときは、その上方に設けられた誘導部材９１（第１の誘導部材に対応）は遊技盤の表面から突出しており、受入口９４（第１の受入口に対応）に入賞した遊技球を右側板９２および左側板９３により、下方の第２始動口２０ａ（第２の受入口に対応）へ誘導する。また、開閉翼片２１，２２が開放すると同時に誘導部材９１が遊技盤の裏面５ｂ側に退避するため、普通電動役物２０の上方から第２始動口２０ａに向かう流下経路上に障害物がなくなるので、第２始動口２０ａに入賞し易くすることができる。
【発明を実施するための最良の形態】
【００１９】
＜第１実施形態＞
［全体の主要構成］
まず、この実施形態のパチンコ機の主要構成について図１および図２を参照して説明する。図１は、そのパチンコ機の外観を正面から見た説明図である。図２は図１に示すパチンコ機に備えられた遊技盤を正面から見た概略説明図である。
図１に示すように、パチンコ機１には、外殻を構成する前枠２が設けられており、その前枠２にはガラス枠３が開閉可能に取付けられている。ガラス枠３の内側には遊技盤５が設けられており、前枠２の前面右下方には、遊技盤５へ遊技球を発射する発射装置を操作する発射レバー１５ａが回動可能に取付けられている。遊技盤５の下方には、払出された賞球や貸球を収容する上受け皿６が設けられており、上受け皿６の下方には、上受け皿６の収容可能数を超えて流下した賞球を収容する下受け皿７が設けられている。
前枠２の左側面には、プリペイドカードユニット６０が接続されており、プリペイドカードユニット６０には、プリペイドカードを挿入するカード挿入口６１が設けられている。カード挿入口６１の内部には、プリペイドカードに記録された情報（残り度数）を読取るとともに、その情報を貸球要求の数に応じて書換え、残り度数を算出する装置が設けられている。上受け皿６の前面には、遊技球の貸出しを行う場合に押す貸出ボタン５８と、カード挿入口６１に挿入されているプリペイドカードを取出し可能な位置まで返却する（戻す）ために押す返却ボタン５９と、プリペイドカードユニット６０により読取られたプリペイドカードの残り度数などを表示する度数表示部５７とが備えられている。
貸出ボタン５８を１回押す毎に、設定されている単位の貸出金額分の貸球が上受け皿６に払出され、プリペイドカードに記録されている残り度数が減少する。たとえば、１回に付き払出される貸出金額の単位として５００円が設定されている場合は、貸出ボタン５８を１回押すと払出装置（図７において符号６２で示す）により５００円分の貸球が払出され、残り度数が５度数減少する。また、減少した残り度数は度数表示部５７に表示される。残り度数が設定されている貸出金額より少ないときに貸出ボタン５８を押した場合は、残り度数がゼロになるまで貸球が払出される。
【００２０】
［遊技盤の主要構成］
遊技盤５の略中央には、センターケース３０が備えられている。センターケース３０には、複数の特別図柄（たとえば、０〜９の数字を表現した図柄）を変動表示する特別図柄表示装置３２が設けられている。特別図柄表示装置３２は、たとえば複数の特別図柄を縦方向に配列した図柄列を画面の横方向３個所の表示領域においてそれぞれ変動表示（たとえば、上から下に向けて移動（スクロール））させる。
センターケース３０の下方には、第１の第１種始動口（以下、第１始動口という）７５を有する第１種始動口装置７０が設けられており、その第１種始動口装置７０の下方には、開閉可能な開閉翼片（図３において符号２１，２２で示す）を有する普通電動役物２０が設けられている。遊技球が第１始動口７５、または、開閉翼片の開放により開口された第２の第１種始動口（図３（Ｂ）において符号２０ａで示す。以下、第２の第１種始動口を第２始動口という。）から入賞すると、払出装置により所定個数（たとえば、４個）の賞球が払出されるとともに、特別図柄表示装置３２が特別図柄の変動表示を開始する。なお、特別図柄の変動表示中に遊技球が第１始動口７５、または、第２始動口２０ａに入賞した場合は、その入賞による特別図柄の変動表示が保留され、その保留された変動表示は、現在行われている変動表示終了後に行われる。保留の数を示す保留数は、特別図柄表示装置３２の上方に設けられた保留数表示ＬＥＤ３３の点灯数により表示される。この実施形態では、保留数表示ＬＥＤ３３は計８個設けられており、保留数の上限は８個に設定されている。
【００２１】
特別図柄表示装置３２は、特別図柄の変動表示開始から所定時間経過すると、各表示領域において変動している各図柄列を所定の順序で停止させ、各表示領域に確定図柄を表示する。そして、各確定図柄が大当り図柄（たとえば、７７７などの同一数字の組合せ）の場合に大当りが発生する。大当りが発生すると、普通電動役物２０の下方に設けられた変動入賞装置４０が作動し、大入賞口開閉部材４１が開放し、大入賞口が開口する。そして、大入賞口に遊技球が入賞すると、所定個数（たとえば１５個）の賞球が払出される。大入賞口が開口してから所定時間（たとえば約３０秒）経過したという条件、あるいは、大入賞口への入賞数が所定数（たとえば１０個）に達したという条件のいずれかが満足されると大入賞口が閉口する。大入賞口の開口から閉口までを１ラウンドといい、ラウンド中に、大入賞口の内部に設けられた特定領域に遊技球が入賞したことを条件として次のラウンドに進むことができ、複数のラウンド（たとえば１５ラウンド）を実行することができる。
【００２２】
特別図柄表示装置３２の上方には、普通図柄を表示する普通図柄表示装置３４が設けられている。普通図柄表示装置３４は複数の普通図柄を所定の順序で表示する（以下、その表示を普通図柄の変動表示という）。この実施形態では、普通図柄表示装置３４は３個のＬＥＤを備えており、各ＬＥＤの点灯状態および消灯状態の組合せが普通図柄を表現しており、遊技球が遊技盤５に設けられた右ゲート１０または左ゲート１１を通過すると普通図柄表示装置３４が普通図柄の変動表示を開始し、当りの普通図柄で停止すると、普通電動役物２０の開閉翼片が開放する。なお、普通図柄の変動表示中に遊技球が右ゲート１０または左ゲート１１を通過した場合は、その通過による普通図柄の変動表示が保留され、その保留された変動表示は、現在行われている変動表示終了後に行われる。保留されている数（以下、普通図柄始動記憶数という）は、４個のＬＥＤを備えた普通図柄始動記憶数表示装置３５のＬＥＤの点灯数により表示される。
また、遊技盤５には、右入賞口１２、左入賞口１３、右下入賞口１６および左下入賞口１７（以下、これらの入賞口を一般入賞口という）が設けられている。一般入賞口に入賞すると払出装置により所定個数（たとえば、７個）の賞球が払出される。
その他遊技盤５には、複数の風車４、発射された遊技球を遊技盤５上の遊技領域へ案内する案内レール９、どこにも入賞しなかった遊技球をアウト球として回収するアウト口８などが設けられている。なお、図示しないが、遊技盤５の盤面には、多くの遊技釘が打ち込まれており、発射された遊技球は遊技釘に衝突することによって流下方向が変化する。
【００２３】
［第１種始動口装置７０および普通電動役物２０の構造］
次に、第１種始動口装置７０および普通電動役物２０の構造について図３ないし図６を参照して説明する。図３は第１種始動口装置７０および普通電動役物２０の動作を説明する説明図である。図３（Ａ）は誘導部材７１が突出し、開閉翼片２１，２２が閉成した状態を示す説明図であり、図３（Ｂ）は誘導部材７１が遊技盤の裏面側に退避し、開閉翼片２１，２２が開放した状態を示す説明図である。図４は第１種始動口装置７０および普通電動役物２０の分解斜視図である。図５は普通電動役物ソレノイド、普通電動役物２０および開閉翼片２１，２２の連結構造を示す説明図である。図５（Ａ）は普通電動役物ソレノイドがオフのときの誘導部材７１および開閉翼片２１，２２の形態を示す説明図であり、図５（Ｂ）は普通電動役物ソレノイドがオンのときの誘導部材７１および開閉翼片２１，２２の形態を示す説明図である。図６は誘導部材７１および開閉翼片２１，２２の形態と遊技球の流下経路とを対応させて示す説明図である。図６（Ａ）は誘導部材７１が突出し、開閉翼片２１，２２が閉成した状態を示す説明図であり、図６（Ｂ）は図６（Ａ）に示す状態における誘導部材７１および開閉翼片２１，２２の周囲の縦断面を右側面から見た縦断面説明図であり、図６（Ｃ）は誘導部材７１が退避し、開閉翼片２１，２２が開放した状態を示す説明図であり、図６（Ｄ）は図６（Ｃ）に示す状態における誘導部材７１および開閉翼片２１，２２の周囲の縦断面を右側面から見た縦断面説明図である。
【００２４】
図３（Ａ），図６（Ｂ）に示すように、第１種始動口装置７０を構成する誘導部材７１は、板状の底板７２と、この底板７２の右側面から垂直上方に立設された右側板７３と、底板７２の左側面から垂直上方に立設された左側板７４とを備える。右側板７３の上端と左側板７４の上端とを結ぶ空間領域が第１始動口７５に設定されている。底板７２の上面は、受け止めた遊技球を後方へ転動させるために後方に下り勾配に形成されている。図５（Ａ）に示すように、右側板７３の後端と左側板７４の後端との間は開口されており、第１始動口７５に入賞した遊技球は、その開口部から後方へ流下する。この実施形態では、右側板７３および左側板７４は、それぞれ側面から見て扇形状に形成されており、各内側の面は平行に対向している。
図４に示すように、右側板７３の板面における後方下部の角部には、回動軸７６が右側方に突出して設けられており、左側板７４の板面における後方下部の角部には、回動軸７７が左側方に突出して設けられている。
図５（Ａ）に示すように、右側板７３および左側板７４の後面には、棒状の錘７８が取付けられている。図６（Ａ）に示すように、遊技盤の表面から前方へ突出した誘導部材７１を正面から見た場合に、錘７８の右端は右側板７３の後面から右方へ突出し、左端は左側板７４の後面から左方へ突出している。右側板７３および左側板７４の後面における錘７８の取付け位置は、回動軸７６，７７の取付け位置よりも少し上方であり、錘７８の自重により、誘導部材７１が回動軸７６，７７を回動中心にして後方へ回動するモーメントが作用するようになっている。
【００２５】
図４に示すように、誘導部材７１および開閉翼片２１，２２を遊技盤５に取付けるための取付パネル２４の前面上部には、前後方向に貫通した開口部２４ｆが開口形成されており、その開口部２４ｆの左内側面には、その左内側面から内部左方に向けて軸受孔２４ｇが開口形成されている。誘導部材７１の左側板７４の回動軸７７は、軸受孔２４ｇに回動自在に挿入される。図示しないが、開口部２４ｆの右内側面であって軸受孔２４ｇと対向する位置には、誘導部材７１の回動軸７６が回動自在に挿入される軸受孔が右内側面から内部右方に向けて開口形成されている。開口部２４ｆの開口幅は、右側板７３および左側板７４の各外側の側面間の幅よりも少し広く形成されており、誘導部材７１が開口部２４ｆの内側において回動するときに右側板７３および左側板７４が開口部２４ｆの内側面と接触し難いようになっている。
【００２６】
図４に示すように、普通電動役物２０に備えられた開閉翼片２１，２２は、それぞれ基部が厚く、基部から先端にゆくほど薄くなる先細りの翼形状に形成されている。開閉翼片２１の基部には、前後方向に貫通した軸挿通孔２１ａが形成されており、開閉翼片２２の基部には、軸挿通孔２２ａが前後方向に貫通形成されている。開閉翼片２１の後面であって、軸挿通孔２１ａから少し内側に偏心した位置には、棒状の連結棒２１ｂが後方に向けて突出して設けられている。開閉翼片２２の後面であって、軸挿通孔２２ａから少し内側に偏心した位置には、棒状の連結棒２２ｂが後方に向けて突出して設けられている。
開閉翼片２１の後面であって先端寄りには、第１腕部２１ｃが後方に向けて突出して設けられており、その第１腕部２１ｃの先端には、上方（図４に示す開放状態では斜め上方外側）に向けて第２腕部２１ｄの基部が一体形成されている。その第２腕部２１ｄの先端には第３腕部２１ｅの基部が一体形成されており、第３腕部２１ｅは後方に向けて延びている。第１腕部２１ｃ、第２腕部２１ｄおよび第３腕部２１ｅは、全体としてクランク形状を呈している。
【００２７】
開閉翼片２２の後面であって先端寄りには、第１腕部２２ｃが後方に向けて突出して設けられており、その第１腕部２２ｃの先端には、上方（図４に示す開放状態では斜め上方外側）に向けて第２腕部２２ｄの基部が一体形成されている。その第２腕部２２ｄの先端には第３腕部２２ｅの基部が一体形成されており、第３腕部２２ｅは後方に向けて延びている。第１腕部２２ｃ、第２腕部２２ｄおよび第３腕部２２ｅは、全体としてクランク形状を呈している。
普通電動役物２０はカバー２３を備える。図３に示すように、カバー２３は、開閉翼片２１，２２の前面の一部を覆うことにより、開閉した開閉翼片２１，２２間に形成された第２始動口２０ａに入賞した遊技球が前方にこぼれるのを防止する。カバー２３は、円板状の前面板２３ｄと、この前面板２３ｄの下半分の周縁から後方に向けて縦断面円弧状に形成された下壁部２３ａと、前面板２３ｄの後面であって下壁部２３ａの左右上端の上方からそれぞれ後方に向けて突出して設けられた棒状の支持軸２３ｃ，２３ｃとを備える。
【００２８】
取付パネル２４の開口部２４ｆの各内側面の下方には、開閉翼片２１，２２の連結棒２１ｂ，２２ｂを挿通するためのスリット２４ｄ，２４ｄがそれぞれ前後方向に貫通して上下方向に形成されている。各スリット２４ｄの各上端から斜め下方に向けて、開閉翼片２１，２２の第１腕部２１ｃ，２２ｃを挿通するためのスリット２４ｅがそれぞれ前後方向に貫通形成されている。この実施形態では、各スリット２４ｄの正面から見た形状はそれぞれ直線状であり、各スリット２４ｅはそれぞれ少し上方に膨らんだ円弧状に形成されている。また、開口部２４ｆ、スリット２４ｄ，２４ｄおよびスリット２４ｅ，２４ｅは、相互に連通している。
各スリット２４ｄの外側であって下部近傍には、支持軸２３ｃを挿通するための挿通孔２４ｃがそれぞれ前後方向に貫通形成されている。取付パネル２４の中央から少し下には、第２始動口スイッチ２９（図６（Ｂ））の後端を挿入するための取付穴２４ｈが前後方向に貫通形成されている。その取付穴２４ｈの下部には、第２始動口スイッチ２９により検出された遊技球を流下路５ｂ（図６（Ｂ））へ流出させるための流出口２４ｂが前後方向に貫通形成されている。
【００２９】
誘導部材７１は、取付パネル２４の後方から回動軸７６，７７を開口部２４ｆの軸受孔２４ｇにそれぞれ挿入することにより、軸受孔２４ｇを回動中心にして前後に回動可能となり、前方へ回動すると、図３（Ａ），図６（Ｂ）に示すように、遊技盤５の表面５ａから前方に突出した形態となり、遊技球Ｐが第１始動口７５に入賞可能となる。
開閉翼片２１，２２は、取付パネル２４の前方から連結棒２１ｂ，２２ｂをそれぞれスリット２４ｄに挿通するとともに、第１腕部２１ｃ，２２ｃをそれぞれスリット２４ｅに挿通する。カバー２３は、前方から各支持軸２３ｃをそれぞれ開閉翼片２１，２２の軸挿通孔２１ａ，２２ａに挿通し、さらに軸挿通孔２１ａ，２２ａから突出した各支持軸２３ｃを取付パネル２４の挿通孔２４ｃ，２４ｃにそれぞれ挿通する。
【００３０】
図５に示すように、このパチンコ機１は、普通電動役物ソレノイド２５と、この普通電動役物ソレノイド２５のプランジャ２５ａの動作を伝達する伝達機構２６と、この伝達機構２６の動作を伝達する伝達機構２７とを備えており、普通電動役物ソレノイド２５の動作を制御することにより、開閉翼片２１，２２が開閉するとともに、誘導部材７１が遊技盤５の表面５ａから裏面５ｂ側へ退避し、また、表面５ａから突出する。
図５（Ｂ）に示すように、取付パネル２４の右側のスリット２４ｄから後方へ突出した連結棒２１ｂ，２２ｂは、それぞれ伝達機構２７に連結されている。連結棒２１ｂは、連結棒２１ｂを連結するための連結部材２７ａに連結され、左側のスリット２４ｄから後方へ突出した連結棒２２ｂは、連結棒２２ｂを連結するための連結部材２７ｂに連結されている。各連結棒は、各連結部材に対して時計回りまたは反時計回りに回動可能に連結される。この実施形態では、各連結部材は、円筒を中心軸に沿って半割した形状に形成されており、その内側において連結棒が回動可能になっている。
【００３１】
各連結部材２７ａ，２７ｂの後端は、横方向に延びた固定部材２７ｃにそれぞれ固定されている。固定部材２７ｃの右端からは、軸部材２７ｄが右方に向けて突出して設けられており、図示しないが固定部材２７ｃの左端からは、軸部材２７ｄと同様の軸部材が左方に向けて突出して設けられている。各軸部材は、遊技盤５の裏に設けられた軸受（図示せず）に回動可能に軸支されている。固定部材２７ｃの後部には、連結部材２７ｅの前端が固定されており、その連結部材２７ｅの後端には、クランパ２７ｆが形成されている。
クランパ２７ｆには、伝達機構２６を構成する連結部材２６ａの左端が、クランパ２７ｆの内部で移動可能に挟持されている。連結部材２６ａの途中には、軸部材２６ｂが前方に突出して設けられており、その軸部材２６ｂは、遊技盤５の裏に設けられた軸受（図示せず）に回動可能に軸支されている。連結部材２６ａの右端には、クランパ２６ｃが形成されている。クランパ２６ｃは、普通電動役物ソレノイド２５のプランジャ２５ａの先端に設けられた円板状部の側面を挟持している。
【００３２】
図５（Ａ），図６（Ａ）に示すように、閉成された開閉翼片２１の先端近傍の後面と、その後面から突出した第１腕部２１ｃと、第２腕部２１ｄとにより形成される凹部には、遊技盤５の表面５ａから前方に突出した誘導部材７１の右側板７３から右方へ突出した回動軸７６が介在されており、第３腕部２１ｅの周面上部は、右側板７３から右方へ突出した錘７８の周面下部を支持している。つまり、錘７８は、第３腕部２１ｅにより、下方への回動が阻止された状態となっており、誘導部材７１が前方に回動した状態、つまり遊技盤５の表面５ａから前方に突出した状態が維持されている。
また、図示しないが、閉成された開閉翼片２２の先端近傍の後面と、その後面から突出した第１腕部２２ｃと、第２腕部２２ｄとにより形成される凹部には、遊技盤５の表面５ａから前方に突出した誘導部材７１の左側板７４から左方へ突出した回動軸７７が介在されている。また、図６（Ａ）に示すように、第３腕部２２ｅの周面上部は、左側板７４から左方へ突出した錘７８の周面下部を支持している。つまり、錘７８は、第３腕部２２ｅにより、下方への回動が阻止された状態となっており、誘導部材７１が前方に回動した状態、つまり遊技盤５の表面５ａから前方に突出した状態が維持されている。
また、図５（Ｂ）に示すように、開閉翼片２１，２２がそれぞれ開放され、第２始動口２０ａが開口すると、前述の各凹部から回動軸７６，７７がそれぞれ抜け出すとともに、錘７８が第３腕部２１ｅ，２２ｅによる支持を失うため、誘導部材７１は、錘７８の下方へのモーメントによって後方へ回動し、遊技盤５の表面５ａから裏面５ｂ側へ退避し、第１始動口７５が閉口する。
【００３３】
図６（Ｂ）に示すように、取付パネル２４は、遊技盤５の表面５ａに取付けられており、その前方にカバー２３が突出して取付けられている。遊技盤５の内部には、誘導部材７１の第１始動口７５から入賞した遊技球Ｐが遊技盤５の裏面５ｂへ流下する流下路５ｃが形成されており、その流下路５ｃには、第１始動口７５に入賞して流下路５ｃを流下する遊技球Ｐを検出する第１始動口スイッチ２８が設けられている。遊技盤５の内部であって流下路５ｃの下方には、普通電動役物２０の第２始動口２０ａに入賞した遊技球Ｐが遊技盤５の裏面５ｂへ流下する流下路５ｄが形成されている。その流下路５ｄの途中には、第２始動口２０ａに入賞して流下路５ｄを流下する遊技球Ｐを検出する第２始動口スイッチ２９が設けられている。
【００３４】
［第１種始動口装置７０および普通電動役物２０の動作］
次に、第１種始動口装置７０および普通電動役物２０の動作を説明する。
発射レバー１５ａ（図１）を時計回りに回動すると、発射モータ１５ｅ（図７）が回転し、発射位置に供給されていた遊技球が発射装置により発射される。その発射された遊技球が右ゲート１０または左ゲート１１を通過すると、普通図柄表示装置３４が普通図柄の変動表示を開始する。普通図柄表示装置３４は、その普通図柄の変動表示が開始されてから所定時間経過すると、当り普通図柄またはハズレ普通図柄を停止表示する。当り普通図柄が停止表示されると、普通電動役物ソレノイド２５がオンし、図５（Ｂ）に示すように、プランジャ２５ａが上方へ突出する。その突出により、連結部材２６ａが軸部材２６ｂを回動中心にして反時計回りに回動し、連結部材２６ａの左端が下降する。その下降により、伝達機構２７が軸部材２７ｄを回動中心にして時計回りに回動し、連結部材２７ａ，２７ｂの先端が上昇する。その上昇により、連結棒２１ｂ，２２ｂがスリット２４ｄ（図４）内をそれぞれ上方へ移動するとともに、第１腕部２１ｃ，２２ｃがそれぞれスリット２４ｅ内をそれぞれ外方斜め下に向けて移動する。これにより、開閉翼片２１，２２が開放して第２始動口２０ａが開口し、誘導部材７１が遊技盤５の裏面５ｂ側へ退避して第１始動口７５が閉口する（図３（Ｂ））。
【００３５】
そして、開閉翼片２１，２２が開放してから所定時間（たとえば１秒）経過すると、普通電動役物ソレノイド２５がオフし、図５（Ａ）に示すように、プランジャ２５ａが退避する。これにより、連結部材２６ａの左端が上昇し、連結部材２７ａ，２７ｂの先端が下降する。これにより、連結棒２１ｂ，２２ｂがスリット２４ｄ（図４）内をそれぞれ下方へ移動するとともに、第１腕部２１ｃ，２２ｃがそれぞれスリット２４ｅ内をそれぞれ内方斜め上に向けて移動する。これにより、開閉翼片２１，２２が閉成して第２始動口２０ａが閉口し、誘導部材７１が遊技盤５の表面５ａから前方へ突出して第１始動口７５が開口する（図３（Ａ））。
遊技球Ｐが第１始動口７５または第２始動口２０ａに入賞すると、所定数（たとえば４個）の賞球が払出される。また、第１始動口７５に入賞した遊技球は第１始動口スイッチ２８により検出され、第２始動口２０ａに入賞した遊技球は第２始動口スイッチ２９により検出される。第１始動口スイッチ２８または第２始動口スイッチ２９がオンすると、特別図柄表示装置３２が特別図柄の変動表示を開始する。その開始から所定時間経過後に大当り図柄が確定表示されると大当りが発生し、大入賞口が開口され、大当り遊技が開始される。
【００３６】
［パチンコ機１の電気的構成］
次に、パチンコ機１の主な電気的構成についてそれをブロックで示す図７を参照して説明する。
パチンコ機１には、主制御基板１００が設けられており、その主制御基板１００には、マイクロプロセッサ１１０が搭載されている。マイクロプロセッサ１１０は、メインＣＰＵ１１２と、ＲＯＭ１１４と、ＲＡＭ１１６とを備える。メインＣＰＵ１１２は、普通図柄の当りかハズレかの判定、普通電動役物ソレノイド２５の制御、第１始動口スイッチ２８または第２始動口スイッチがオンしたか否かの判定、大当りかハズレかの判定、大入賞口ソレノイド４１ｂの制御、入賞の検出、入賞数の計数などを実効する。
ＲＯＭ１１４には、メインＣＰＵ１１２が各種制御、判定および検出などを実行するための各種制御プログラム、制御プログラム実行時に参照する各種テーブルなどが記録されている。ＲＡＭ１１６は、保留数や普通図柄始動記憶数などを記憶する保留数記憶領域と、メインＣＰＵ１１２の処理結果などの遊技中に発生する各種データおよびＲＯＭ１１４から読出された制御プログラムなどを一時的に格納する記憶領域と、電源遮断時に停電直前の遊技状態を示すデータなどをバックアップして記憶するバックアップ領域とを備える。
【００３７】
主制御基板１００には、次に記載するものが電気的に接続されている。第１始動口スイッチ（ＳＷ）２８、第２始動口スイッチ（ＳＷ）２９、特別図柄表示装置３２を制御する図柄制御基板３８、遊技中にスピーカ（図示せず）から出力される効果音などを制御する音声制御基板６７、ＬＥＤやランプ類などの発光部材の点灯・点滅を制御するランプ制御基板３００、電源基板６４、賞球および貸球の払出しなどを制御する払出制御基板２００、大当りの発生や賞球払出数などに関する遊技盤情報をパチンコホールの管理室などに設けられたホールコンピュータへ送信するための遊技枠情報端子基板５２、盤面中継基板５１、遊技枠中継基板５３である。図柄制御基板３８には、特別図柄表示装置３２を制御するサブＣＰＵ３８ａと、サブＣＰＵ３８ａが実行する制御プログラムが記憶されたＲＯＭ３８ｂと、サブＣＰＵ３８ａの処理結果などを一時的に記憶するＲＡＭ３８ｃとが搭載されている。
【００３８】
払出制御基板２００には、主制御基板１００から送信されてくる賞球コマンド、プリペイドカードユニット６０からＣＲ接続基板５６を介して送信されてくる貸球要求信号などを受信するマイクロプロセッサ２１０が搭載されており、マイクロプロセッサ２１０には、賞球および貸球の払出しなどの制御を実行するサブＣＰＵ２１２と、このサブＣＰＵ２１２が賞球および貸球の払出しなどの制御を実行するための各種制御プログラムが記録されたＲＯＭ２１４と、払出すべき賞球または貸球の総数やサブＣＰＵ２１２が各種制御プログラムを実行する際にＲＯＭ２１４から読出された制御プログラムなどを一時的に格納するＲＡＭ２１６とが搭載されている。また、ＲＡＭ２１６は、電源遮断時に、入賞数や未払いの賞球総数などを示すデータをバックアップして記憶するバックアップ領域を備える。
また、払出制御基板２００には、電源基板６４、発射モータ１５ｅを駆動するための発射モータ駆動基板１５ｃ、遊技枠情報端子基板５２および払出中継基板５５が電気的に接続されている。発射モータ駆動基板１５ｃには、発射モータ１５ｅ、発射モータ駆動基板１５ｃから発射モータ１５ｅへ駆動信号を出力させるための発射スイッチ（ＳＷ）１５ｄが電気的に接続されている。
【００３９】
遊技枠中継基板５３には、下受け皿７が遊技球で満杯になったことを検出する下皿満杯検出スイッチ（ＳＷ）６５、球切れを検出する球切れ検出スイッチ（ＳＷ）６６およびセンサ中継基板５４が電気的に接続されている。センサ中継基板５４は、払出装置６２に備えられた払出球を検出する前部払出センサ６２ａ、後部払出センサ６２ｂおよび払出中継基板５５と電気的に接続されている。払出中継基板５５には、遊技球の払出しを行う部材を駆動する払出モータ６２ｃが電気的に接続されている。
盤面中継基板５１には、普通電動役物ソレノイド（ＳＬ）２５、普通図柄表示装置３４、右ゲート１０を通過した遊技球を検出する右ゲートスイッチ（ＳＷ）１０ａ、左ゲート１１を通過した遊技球を検出する左ゲートスイッチ（ＳＷ）１１ａ、大入賞口に入賞した遊技球を検出する大入賞口スイッチ（ＳＷ）４１ａ、右入賞口１２に入賞した遊技球を検出する右入賞口スイッチ（ＳＷ）１２ａ、左入賞口１３に入賞した遊技球を検出する左入賞口スイッチ（ＳＷ）１３ａ、右下入賞口１６に入賞した遊技球を検出する右下入賞口スイッチ（ＳＷ）１６ａ、左下入賞口１７に入賞した遊技球を検出する左下入賞口スイッチ（ＳＷ）１７ａおよび大入賞口中継基板５０が電気的に接続されている。
【００４０】
大入賞口中継基板５０には、大入賞口内の特定領域（図示せず）を通過した遊技球を検出する特定領域スイッチ（ＳＷ）４２ａと、遊技球を特定領域へ案内する状態と案内しない状態とに変化する部材を動作させる特定領域ソレノイド（ＳＬ）４２ｂと、大入賞口開閉部材４１を開閉動作させる大入賞口ソレノイド（ＳＬ）４１ｂとが電気的に接続されている。電源基板６４は、ＣＲ接続基板５６と電気的に接続されており、ＣＲ接続基板５６には、度数表示部５７（図１）に残り度数を表示するための回路が搭載された度数表示基板５７ａと、プリペイドカードユニット６０とが電気的に接続されている。度数表示基板５７ａには、貸出ボタン５８と、返却ボタン５９と、貸出ボタンランプ５８ａとが電気的に接続されている。
電源基板６４は、ＡＣ２４Ｖ（５０Ｈｚ／６０Ｈｚ）の主電源６３から電源の供給を受け、各基板および装置へ動作電源を供給する。図示しないが、電源基板６４には、パチンコ機１の電源のＯＮ・ＯＦＦを行う電源スイッチ（ＳＷ）と、ＲＡＭ１１６，２１６のバックアップ領域に記憶されているデータをクリアするためのＲＡＭクリアスイッチとが設けられている。
【００４１】
［第１実施形態の効果］
（１）以上のように上述の第１実施形態のパチンコ機１を使用すれば、普通電動役物２０の開閉翼片２１，２２が第２始動口２０ａへ遊技球Ｐを誘導する形態に変化しているときは、第１種始動口装置７０の誘導部材７１を遊技盤５の表面５ａから裏面５ｂ側へ退避させた形態に変化させることができるため、遊技盤５の上方から第２始動口２０ａに向かって流下する遊技球Ｐに対して誘導部材７１が障害となることがない。
したがって、普通電動役物２０の開閉翼片２１，２２が開放したときに上方から流下する遊技球Ｐが普通電動役物２０に入賞し易いパチンコ機を実現することができる。
（２）特に、普通電動役物２０の開閉翼片２１，２２が開放されたと同時に、第１種始動口装置７０の誘導部材７１を遊技盤５の裏面５ｂ側へ退避させることにより、第２始動口２０ａに向かって流下する遊技球Ｐに対して誘導部材７１が障害とならない状態を直ぐに作り出すことができる。
したがって、誘導部材７１が第２始動口２０ａに対する入賞の障害となる期間を最大限なくすことができる。
【００４２】
（３）また、普通電動役物２０の開閉翼片２１，２２が閉成されたと同時に、第１種始動口装置７０の誘導部材７１を遊技盤５の表面５ａから突出させることにより、遊技球Ｐを第１始動口７５に入賞させることもできる。また、誘導部材７１が、閉成された開閉翼片２１，２２の先端間に形成された開口部を塞ぐ形態となるため、第１始動口７５にのみ入賞が可能となる。
（４）さらに、単一の普通電動役物ソレノイド２５を使用して誘導部材７１の回動および開閉翼片２１，２２の開閉を行うことができるため、誘導部材７１および開閉翼片２１，２２を個別に動作させるソレノイドを計２個使用する場合よりもパチンコ機の製造コストを低減することもできる。
（５）さらに、開閉翼片２１，２２が開放されたときに誘導部材７１を遊技盤５の裏面５ｂ側に退避させることができ、上方から第２始動口２０ａに向けて流下した遊技球に対して誘導部材７１が障害となることがないため、第２始動口２０ａに入賞し易くすることができるので、遊技者に有利で魅力のあるパチンコ機を実現することもできる。
【００４３】
＜第１実施形態の変更例＞
次に、上記第１実施形態の変更例について図８を参照して説明する。図８は誘導部材７１および開閉翼片２１，２２の構造を示す説明図である。図８（Ａ）は普通電動役物ソレノイドがオフのときの誘導部材７１および開閉翼片２１，２２の形態を示す説明図であり、図８（Ｂ）は普通電動役物ソレノイドがオンのときの誘導部材７１および開閉翼片２１，２２の形態を示す説明図である。
【００４４】
誘導部材７１の右側板７３には、右側面から見て扇形状の凹部７３ａが回動軸７６を中心にして形成されている。回動軸７６には、板バネ７９の基端が固定されており、板バネ７９の先端７９ａは、右方へ突出している。板バネ７９の先端７９ａ以外は、凹部７３ａ内に収まっており、先端７９ａが右側板７３の板面から右方へ突出している。板バネ７９は、その基端を回動中心にして凹部７３ａ内を回動可能になっている。
また、図８（Ａ）に示すように、誘導部材７１が突出し、開閉翼片２１，２２が閉成された状態において、第２腕部２１ｄ，２２ｄは、第１実施形態の第２腕部２１ｄ，２２ｄ（図５）よりも長く形成されており、錘７８よりも上方であって右側板７３の上端近傍まで延びている。
開口部２４ｆの右内側面（図４において軸受孔２４ｇが形成された左内側面と対向する面）には、板バネ７９の先端７９ａを係止するための溝（以下、係止溝という。図示せず。）が形成されており、板バネ７９の先端７９ａは、その係止溝に挿入されている。つまり、誘導部材７１が回動しても板バネ７９は回動せず、誘導部材７１は板バネ７９の復元力に抗して回動する。
【００４５】
図８（Ａ）に示すように、開閉翼片２１，２２が閉成している状態では、誘導部材７１は、板バネ７９のバネ力によって突出した状態を維持する。図８（Ｂ）に示すように、普通電動役物ソレノイド２５がオンすると、開閉翼片２１，２２が開放され、その開放に伴って回動する第２腕部２１ｄ，２２ｄの各先端に取付けられた第３腕部２１ｅ，２２ｅが錘７８の周面上部を下方に押し下げ、誘導部材７１が板バネ７９の復元力に抗して後方へ回動し、遊技盤５の裏面５ｂ側へ退避する。そして、開閉翼片２１，２２の開放から所定時間経過し、普通電動役物ソレノイド２５がオフすると、開閉翼片２１，２２が閉成し、誘導部材７１が板バネ７９の復元力によって前方へ回動し、遊技盤５の表面５ａから前方へ突出する。
【００４６】
以上のように、錘７８は、第１実施形態のように錘の役割をするのではなく、開閉翼片２１，２２が開放されるときに、第３腕部２１ｅ，２２ｅにより下方に押し下げられることにより、誘導部材７１を後方へ回動させる役割をする。
上記変更例に係るパチンコ機は、上記のように、誘導部材７１および開閉翼片２１，２２を連動させるための構造が異なる以外は、第１実施形態のパチンコ機１と同じ構成および機能であるため、第１実施形態の効果（１）ないし（５）と同じ効果を奏することができる。
【００４７】
＜第２実施形態＞
次に、この発明の第２実施形態について図９ないし図１２を参照して説明する。図９は第１種始動口装置７０および普通電動役物８０の動作を説明する説明図である。図９（Ａ）は誘導部材７１が突出し、開閉扉８１が閉成した状態を示す説明図であり、図９（Ｂ）は誘導部材７１が遊技盤の裏面側に退避し、開閉扉８１が開放した状態を示す説明図である。図１０は第１種始動口装置７０および普通電動役物８０の分解斜視図である。図１１は普通電動役物ソレノイド、普通電動役物８０および開閉翼片２１，２２の連結構造を示す説明図である。図１１（Ａ）は普通電動役物ソレノイドがオフのときの誘導部材７１および開閉扉８１の形態を示す説明図であり、図１１（Ｂ）は普通電動役物ソレノイドがオンのときの誘導部材７１および開閉扉８１の形態を示す説明図である。図１２は誘導部材７１および開閉扉８１の形態と遊技球の流下経路とを対応させて示す説明図である。図１２（Ａ）は誘導部材７１が突出し、開閉扉が閉成した状態を示す説明図であり、図１２（Ｂ）は図１２（Ａ）に示す状態における誘導部材７１および開閉扉８１の周囲の縦断面を右側面から見た縦断面説明図であり、図１２（Ｃ）は誘導部材７１が退避し、開閉扉８１が開放した状態を示す説明図であり、図１２（Ｄ）は図１２（Ｃ）に示す状態における誘導部材７１および開閉扉８１の周囲の縦断面を右側面から見た縦断面説明図である。
なお、この実施形態のパチンコ機は、第１種始動口装置７０および普通電動役物８０の構造以外は、前述の第１実施形態のパチンコ機と同じであるため、同じ部分の説明は簡略化または省略し、同じ構成については同じ符号を用いる。
【００４８】
［第１種始動口装置７０および普通電動役物８０の構造］
図１０，図１１に示すように、第１種始動口装置７０は、前述の第１実施形態の変更例における第１種始動口装置７０と同じ構造である。図９に示すように、第１種始動口装置７０の下方には、普通電動役物８０が設けられている。普通電動役物８０は、第２始動口８１ａを開閉する開閉扉８１を備える。開閉扉８１は、横長で板状の底板８２と、この底板８２の右側面から垂直上方に立設された右側板８３と、底板８２の左側面から垂直上方に立設された左側板８４とを備える。右側板８３の上端と左側板８４の上端とを結ぶ空間領域が第２始動口８１ａに設定されている。底板８２の上面は、受け止めた遊技球を後方へ転動させるために後方に下り勾配に形成されている。この実施形態では、右側板８３および左側板８４は、それぞれ側面から見て扇形状に形成されている。
図１０に示すように、右側板８３および左側板８４の各上端には、誘導部材７１の錘７８を係止するための係止片８５がそれぞれ上方に突出して設けられている。また、右側板８３の板面における後方下部の角部には、支持軸８６が右側方に突出して設けられており、左側板８４の板面における後方下部の角部には、支持軸８６と同じ支持軸（図示せず）が左側方に突出して設けられている。
【００４９】
図１０に示すように、誘導部材７１および開閉扉８１を遊技盤５に取付けるための取付パネル８８の前面上部には、前後方向に貫通した開口部８８ｄが開口形成されており、その開口部８８ｄの左内側面には、その左内側面から内部左方に向けて軸受孔８８ｅが開口形成されている。誘導部材７１の左側板７４の回動軸７７は、軸受孔８８ｅに回動自在に挿入される。図示しないが、開口部８８ｄの右内側面であって軸受孔８８ｅと対向する位置には、誘導部材７１の回動軸７６が回動自在に挿入される軸受孔が右内側面から内部右方に向けて開口形成されている。開口部８８ｄの開口幅は、右側板７３および左側板７４の各外側の側面間の幅よりも少し広く形成されており、誘導部材７１が開口部８８ｄの内側において回動するときに右側板７３および左側板７４が開口部８８ｄの内側面と接触し難いようになっている。開口部８８ｄの右内側面には、誘導部材７１の板バネ７９の先端７９ａを係止するための係止溝（図示せず）が形成されており、先端７９ａは、その係止溝に係止されている。
取付パネル８８の開口部８８ｄの下方には、開閉扉８１を回動可能に取り付けるための開口部８８ｂが前後方向に貫通し、かつ、開口部８８ｄと連通して形成されている。開口部８８ｂの左内側面には、右方に開口部を向けた軸受孔８８ｃが設けられている。開閉扉８１の左側板８４の支持軸は、軸受孔８８ｃに回動自在に挿入される。図示しないが、開口部８８ｂの右内側面であって軸受孔８８ｃと対向する位置には、開閉扉８１の支持軸８６が回動自在に挿入される軸受孔が、その開口部を左方に向けて設けられている。
【００５０】
図９（Ｂ），図１２（Ｃ）に示すように、開閉扉８１が開放して第２始動口８１ａを開口した状態において、底板８２の後端の後方には、底板８２の上面を後方に転動する遊技球を左右に振り分けるための振分部材８２ａ，８２ｂが設けられている。振分部材８２ａの右側および振分部材８２ｂの左側には、第２始動口８１ａに入賞した遊技球が流出するための流出口８１ｂ，８１ｃがそれぞれ開口形成されている。振分部材８２ａの正面は流出口８１ｂに向けて後方に傾斜しており、振分部材８２ｂの正面は流出口８１ｃに向けて後方に傾斜している。図９（Ｂ）に示すように、流下経路Ｌ３に沿って流下した遊技球Ｐは、振分部材８２ａ，８２ｂによって左右に振り分けられ、流出口８１ｂ，８１ｃのいずれかから後方へ流出する。この実施形態では、振分部材８２ａ，８２ｂは一体形成されており、取付パネル８８の裏面にて、開閉扉８１とは別体で所定個所に配置されている。
【００５１】
誘導部材７１は、取付パネル８８の後方から回動軸７６，７７を開口部８８ｄの軸受孔８８ｅにそれぞれ挿入することにより、軸受孔８８ｅを回動中心にして前後に回動可能となり、前方へ回動すると、図９（Ａ），図１２（Ｂ）に示すように、遊技盤５の表面５ａから前方に突出した形態となり、遊技球Ｐが第１始動口７５に入賞可能となる。
開閉扉８１は、取付パネル８８の後方から支持軸８６をそれぞれ軸受孔８８ｃに挿入することにより、軸受孔８８ｃを回動中心にして前後に回動可能となり、前方へ回動すると、図９（Ｂ），図１２（Ｄ）に示すように、遊技盤５の表面５ａから前方に突出した形態となり、遊技球Ｐが第２始動口８１ａに入賞可能となる。
また、図１１（Ｂ）に示すように、誘導部材７１が後方へ回動し、開閉扉８１が前方へ回動した状態において、開閉扉８１の係止片８５，８５は、誘導部材７１に取付けられた錘７８の周面後部に係止された状態になる。
【００５２】
図１２（Ｂ）に示すように、取付パネル８８は、遊技盤５の表面５ａに取付けられている。遊技盤５の内部には、誘導部材７１の第１始動口７５から入賞した遊技球Ｐが遊技盤５の裏面５ｂへ流下する流下路５ｅが形成されており、その流下路５ｅには、第１始動口７５に入賞して流下路５ｅを流下する遊技球Ｐを検出する第１始動口スイッチ２８が設けられている。遊技盤５の内部であって流下路５ｅの下方には、普通電動役物８０の第２始動口８１ａに入賞した遊技球Ｐが遊技盤５の裏面５ｂへ流下する流下路５ｆが形成されている。その流下路５ｆの途中には、第２始動口８１ａに入賞して流下路５ｆを流下する遊技球Ｐを検出する第２始動口スイッチ２９が設けられている。
【００５３】
図１１に示すように、普通電動役物ソレノイド２５は、前述の第１実施形態と異なり、プランジャ２５ａが左右に進退するように配置されている。プランジャ２５ａには、連結部材８９ａの先端が取付けられており、その連結部材８９ａの基部は、連結部材８９ｃの左端と軸部材８９ｂによって回動可能に取付けられている。連結部材８９ｃの右端には、クランパ８９ｄが取付けられている。クランパ８９ｄは、上方に位置する上腕部８９ｅと、この上腕部８９ｅの下方に位置する下腕部８９ｆとを備える。開閉扉８１の左側板８４の板面には、クランパ８９ｄを係止するための係止部材８７が左方に突出して設けられている。この実施形態では、図１１（Ａ）に示すように、開閉扉８１が閉成した状態において、係止部材８７は、左側板８４の板面に設けられた支持軸（図示せず）から上方かつ後方に偏心した位置に設けられており、支持軸８６よりも長い棒状に形成されている。普通電動役物ソレノイド２５の動作を制御することにより、開閉扉８１が開閉するとともに、誘導部材７１が遊技盤５の表面５ａから裏面５ｂ側へ退避し、また、表面５ａから突出する。
【００５４】
［第１種始動口装置７０および普通電動役物８０の動作］
普通図柄表示装置３４（図２）により当り普通図柄が停止表示されると、普通電動役物ソレノイド２５がオンし、図１１（Ｂ）に示すように、プランジャ２５ａが左方へ退避する。その退避により、連結部材８９ａが軸部材８９ｂを回動中心にして反時計回りに回動し、連結部材８９ｃのクランパ８９ｄが上昇する。その上昇により、クランパ８９ｄの下腕部８９ｆが係止部材８７の周面下部を上方へ押し上げ、開閉扉８１が支持軸８６を回動中心にして前方へ回動し、第２始動口８１ａが開口する。このとき、回動する開閉扉８１の係止片８５，８５が錘７８の周面後部を前方へ押すため、誘導部材７１は回動軸７６，７７を回動中心にして後方へ回動し、遊技盤５の裏面５ｂ側へ退避して第１始動口７５が閉口する（図９（Ｂ））。
そして、開閉扉８１が開放してから所定時間（たとえば１秒）経過すると、普通電動役物ソレノイド２５がオフし、図１１（Ａ）に示すように、プランジャ２５ａが右方へ突出する。これにより、連結部材８９ａが軸部材８９ｂを回動中心にして時計回りに回動し、連結部材８９ｃのクランパ８９ｄが下降する。その下降により、クランパ８９ｄの上腕部８９ｅが係止部材８７の周面上部を下方へ押し下げ、開閉扉８１が支持軸８６を回動中心にして後方へ回動し、第２始動口８１ａが閉口する。このとき、開閉扉８１の係止片８５，８５により係止されていた錘７８は、その係止状態が解除され、誘導部材７１は、板バネ７９の復元力によって回動軸７６，７７を回動中心にして前方へ回動し、遊技盤５の表面５ａから前方へ突出し、第１始動口７５が開口する（図９（Ａ））。
【００５５】
［第２実施形態の効果］
（１）以上のように上述の第２実施形態のパチンコ機１を使用すれば、普通電動役物８０の開閉扉８１が第２始動口８１ａへ遊技球Ｐを誘導する形態に変化しているときは、第１種始動口装置７０の誘導部材７１を遊技盤５の表面５ａから裏面５ｂ側へ退避させた形態に変化させることができるため、遊技盤５の上方から第２始動口８１ａに向かって流下する遊技球Ｐに対して誘導部材７１が障害となることがない。
したがって、普通電動役物８０の開閉扉８１が開放したときに上方から流下する遊技球Ｐが普通電動役物８０に入賞し易いパチンコ機を実現することができる。
（２）特に、普通電動役物８０の開閉扉８１が開放されたと同時に、第１種始動口装置７０の誘導部材７１を遊技盤５の裏面５ｂ側へ退避させることにより、第２始動口８１ａに向かって流下する遊技球Ｐに対して誘導部材７１が障害とならない状態を直ぐに作り出すことができる。
したがって、誘導部材７１が第２始動口８１ａに対する入賞の障害となる期間を最大限なくすことができる。
【００５６】
（３）また、普通電動役物８０の開閉扉８１が閉成されたと同時に、第１種始動口装置７０の誘導部材７１を遊技盤５の表面５ａから突出させることにより、遊技球Ｐを第１始動口７５に入賞させることもできる。
（４）さらに、単一の普通電動役物ソレノイド２５を使用して誘導部材７１および開閉扉８１の開閉を行うことができるため、誘導部材７１および開閉扉８１を個別に動作させるソレノイドを計２個使用する場合よりもパチンコ機の製造コストを低減することもできる。
（５）さらに、開閉扉８１が開放されたときに誘導部材７１を遊技盤５の裏面５ｂ側に退避させることができ、上方から第２始動口８１ａに向けて流下した遊技球に対して誘導部材７１が障害となることがないため、第２始動口８１ａに入賞し易くすることができるので、遊技者に有利で魅力のあるパチンコ機を実現することもできる。
【００５７】
＜第３実施形態＞
次に、この発明の第３実施形態について図１３を参照して説明する。図１３は第１種始動口装置および普通電動役物の説明図である。図１３（Ａ）は第１種始動口装置の斜視図であり、図１３（Ｂ）は誘導部材が突出し、開閉翼片が閉成された状態を示す斜視図であり、図１３（Ｃ）は誘導部材が退避し、開閉翼片が開放された状態を示す斜視図である。
なお、この実施形態のパチンコ機は、第１種始動口装置７０の構造以外は、前述の第１実施形態のパチンコ機と同じであるため、同じ部分の説明は簡略化または省略し、同じ構成については同じ符号を用いる。
【００５８】
図１３（Ａ）に示すように、第１種始動口装置９０は誘導部材９１を備えており、誘導部材９１は、右側板９２と、この右側板９２と対向して設けられた左側板９３と、右側板９２および左側板９３の後方下部の角部にそれぞれ挿通固定された軸部材９５とを備える。右側板９２および左側板９３の各上端間には、遊技球を受入れて下方へ誘導するための受入口９４が形成されている。右側板９２および左側板９３の各後面下部には、棒状の錘９６が取付けられている。錘９６の右端は右側板９２の後面から右方へ突出し、左端は左側板９３の後面から左方へ突出している。右側板９２および左側板９３の後面における錘９６の取付け位置は、軸部材９５の挿通位置よりも少し上方であり、錘９６の自重により、誘導部材９１が軸部材９５を回動中心にして後方へ回動するモーメントが作用するようになっている。この実施形態では、右側板９２および左側板９３はそれぞれ側面から見て扇形状に形成されており、各内側の面は平行に対向している。
【００５９】
普通電動役物２０の構造および開閉翼片２１，２２を開閉するための構造は、前述の第１実施形態の普通電動役物２０と同じ構造である（図５）。また、開閉翼片２１，２２の開閉に連動して誘導部材９１を回動させるための構造も第１実施形態と同じである（図５）。また、図１３（Ｂ）に示すように、開閉翼片２１，２２の先端は、それぞれ右側板９２および左側板９３の外面に当接し、開閉翼片２１，２２の内側への回動が規制されている。つまり、遊技球が開閉翼片２１，２２に衝突しても、開閉翼片２１，２２の先端間の幅が、受入口９４よりも狭くならないようになっている。第１種始動口装置９０および普通電動役物２０を遊技盤５に取り付けるための取付パネル９７には、誘導部材９１の右側板９２および左側板９３を挿通するためのスリット９７ａ，９７ｂが前後方向に貫通形成されている。
そして、普通電動役物ソレノイド２５がオフの状態では、図１３（Ｂ）に示すように、普通電動役物２０の開閉翼片２１，２２が閉成されており、誘導部材７１の右側板９２および左側板９３が、それぞれスリット９７ａ，９７ｂから前方へ突出した状態となり、受入口９４と、開閉翼片２１，２２の各先端間に形成された誘導口２０ｂとが連通する。この状態では、受入口９４に受入れられた遊技球は、誘導口２０ｂを介して第２始動口２０ａへ誘導される。
また、普通電動役物ソレノイド２５がオンすると、図１３（Ｃ）に示すように、開閉翼片２１，２２が開放され、それに連動して右側板９２および左側板９３がそれぞれスリット９７ａ，９７ｂから遊技盤５の裏面５ｂ側へ退避する。これにより、第２始動口２０ａの上方に障害物がなくなるため、遊技球が第２始動口２０ａの上方および左右から入賞可能となる。
【００６０】
［第３実施形態の効果］
（１）以上のように上述の第３実施形態のパチンコ機１を使用すれば、普通電動役物２０の開閉翼片２１，２２が第２始動口２０ａへ遊技球Ｐを誘導する形態に変化しているときは、第１種始動口装置９０の誘導部材９１を遊技盤５の表面５ａから裏面５ｂ側へ退避させた形態に変化させることができるため、遊技盤５の上方から第２始動口２０ａに向かって流下する遊技球Ｐに対して誘導部材９１が障害となることがない。
したがって、普通電動役物２０の開閉翼片２１，２２が開放したときに上方から流下する遊技球Ｐが普通電動役物２０に入賞し易いパチンコ機を実現することができる。
（２）特に、普通電動役物２０の開閉翼片２１，２２が開放されたと同時に、第１種始動口装置９０の誘導部材９１を遊技盤５の裏面５ｂ側へ退避させることにより、第２始動口２０ａに向かって流下する遊技球Ｐに対して誘導部材９１が障害とならない状態を直ぐに作り出すことができる。
したがって、誘導部材９１が第２始動口２０ａに対する入賞の障害となる期間を最大限なくすことができる。
【００６１】
（３）また、普通電動役物２０の開閉翼片２１，２２が閉成されたと同時に、第１種始動口装置９０の誘導部材９１を遊技盤５の表面５ａから突出させることにより、遊技球Ｐを受入口９４に受け入れるとともに、その受入れた遊技球Ｐ第２始動口２０ａへ誘導することもできる。
（４）さらに、単一の普通電動役物ソレノイド２５を使用して誘導部材９１の回動および開閉翼片２１，２２の開閉を行うことができるため、誘導部材９１および開閉翼片２１，２２を個別に動作させるソレノイドを計２個使用する場合よりもパチンコ機の製造コストを低減することもできる。
（５）さらに、開閉翼片２１，２２が開放されたときに誘導部材９１を遊技盤５の裏面５ｂ側に退避させることができ、上方から第２始動口２０ａに向けて流下した遊技球に対して誘導部材９１が障害となることがないため、第２始動口２０ａに入賞し易くすることができるので、遊技者に有利で魅力のあるパチンコ機を実現することもできる。
【００６２】
＜他の実施形態＞
（１）前述の各実施形態では、この発明の第１の遊技球受入れ装置として第１始動口を有する第１種始動口装置を、第２の遊技球受入れ装置として第２始動口を有する普通電動役物をそれぞれ説明したが、第１および第２の遊技球受入れ装置が、それぞれ一般入賞口を有する入賞装置であっても良い。
（２）また、第２の遊技球受入れ装置が、大入賞口を開閉する変動入賞装置であっても良い。
（３）普通電動役物ソレノイド２５に代えてモータを用いることもできる。板バネ７９に代えてコイルスプリングを用いることもできる。
（４）前述の各実施形態における各装置および部材の構成、構造、形状、数量および大きさなどは一例であり、この発明の技術的範囲を逸脱しない限り設計変更することができることは勿論である。
【００６３】
［各請求項と実施形態との対応関係］
第１始動口７５が請求項１の第１の受入口に対応し、誘導部材７１が第１の誘導部材に対応し、第１種始動口装置７０が第１の遊技球受入れ装置に対応する。第２始動口２０ａが第２の受入口に対応し、開閉翼片２１，２２が第２の誘導部材に対応し、普通電動役物２０が第２の遊技球受入れ装置に対応する。第１腕部２１ｃ，２２ｃ、第２腕部２１ｄ，２２ｄ、第３腕部２１ｅ，２２ｅ、普通電動役物ソレノイド２５、伝達機構２６，２７、錘７８およびメインＣＰＵ１１２が制御装置に対応する。
普通電動役物ソレノイド２５が請求項４のアクチュエータに対応し、伝達機構２６，２７が第１の変換手段に対応し、第１腕部２１ｃ，２２ｃ、第２腕部２１ｄ，２２ｄおよび錘７８が第２の変換手段に対応する。
普通図柄が請求項５の第１の図柄に対応し、普通図柄表示装置３４が第１の図柄表示装置に対応する。特別図柄が第２の図柄に対応し、特別図柄表示装置３２が第２の図柄表示装置に対応する。大入賞口が入賞口に対応し、変動入賞装置４０が入賞装置に対応する。
誘導部材９１が請求項６の第１の誘導部材に対応し、受入口９４が第１の受入口に対応する。
【図面の簡単な説明】
【００６４】
【図１】この発明の実施形態に係るパチンコ機の外観を正面から見た説明図である。
【図２】図１に示すパチンコ機に備えられた遊技盤を正面から見た概略説明図である。
【図３】図３は第１種始動口装置７０および普通電動役物２０の動作を説明する説明図である。図３（Ａ）は誘導部材７１が突出し、開閉翼片２１，２２が閉成した状態を示す説明図であり、図３（Ｂ）は誘導部材７１が遊技盤の裏面側に退避し、開閉翼片２１，２２が開放した状態を示す説明図である。
【図４】第１種始動口装置７０および普通電動役物２０の分解斜視図である。
【図５】図５は普通電動役物ソレノイド、普通電動役物２０および開閉翼片２１，２２の連結構造を示す説明図である。図５（Ａ）は普通電動役物ソレノイドがオフのときの誘導部材７１および開閉翼片２１，２２の形態を示す説明図であり、図５（Ｂ）は普通電動役物ソレノイドがオンのときの誘導部材７１および開閉翼片２１，２２の形態を示す説明図である。
【図６】図６は誘導部材７１および開閉翼片２１，２２の形態と遊技球の流下経路とを対応させて示す説明図である。図６（Ａ）は誘導部材７１が突出し、開閉翼片２１，２２が閉成した状態を示す説明図であり、図６（Ｂ）は図６（Ａ）に示す状態における誘導部材７１および開閉翼片２１，２２の周囲の縦断面を右側面から見た縦断面説明図であり、図６（Ｃ）は誘導部材７１が退避し、開閉翼片２１，２２が開放した状態を示す説明図であり、図６（Ｄ）は図６（Ｃ）に示す状態における誘導部材７１および開閉翼片２１，２２の周囲の縦断面を右側面から見た縦断面説明図である。
【図７】パチンコ機１の主な電気的構成をブロックで示す説明図である。
【図８】図８は第１実施形態の変更例の誘導部材７１および開閉翼片２１，２２の構造を示す説明図である。図８（Ａ）は普通電動役物ソレノイドがオフのときの誘導部材７１および開閉翼片２１，２２の形態を示す説明図であり、図８（Ｂ）は普通電動役物ソレノイドがオンのときの誘導部材７１および開閉翼片２１，２２の形態を示す説明図である。
【図９】図９は第２実施形態の第１種始動口装置７０および普通電動役物８０の動作を説明する説明図である。図９（Ａ）は誘導部材７１が突出し、開閉扉８１が閉成した状態を示す説明図であり、図９（Ｂ）は誘導部材７１が遊技盤の裏面側に退避し、開閉扉８１が開放した状態を示す説明図である。
【図１０】第１種始動口装置７０および普通電動役物８０の分解斜視図である。
【図１１】図１１は普通電動役物ソレノイド、普通電動役物８０および開閉翼片２１，２２の連結構造を示す説明図である。図１１（Ａ）は普通電動役物ソレノイドがオフのときの誘導部材７１および開閉扉８１の形態を示す説明図であり、図１１（Ｂ）は普通電動役物ソレノイドがオンのときの誘導部材７１および開閉扉８１の形態を示す説明図である。
【図１２】図１２は誘導部材７１および開閉扉８１の形態と遊技球の流下経路とを対応させて示す説明図である。図１２（Ａ）は誘導部材７１が突出し、開閉扉が閉成した状態を示す説明図であり、図１２（Ｂ）は図１２（Ａ）に示す状態における誘導部材７１および開閉扉８１の周囲の縦断面を右側面から見た縦断面説明図であり、図１２（Ｃ）は誘導部材７１が退避し、開閉扉８１が開放した状態を示す説明図であり、図１２（Ｄ）は図１２（Ｃ）に示す状態における誘導部材７１および開閉扉８１の周囲の縦断面を右側面から見た縦断面説明図である。
【図１３】図１３は第３実施形態の第１種始動口装置および普通電動役物の説明図である。図１３（Ａ）は第１種始動口装置の斜視図であり、図１３（Ｂ）は誘導部材が突出し、開閉翼片が閉成された状態を示す斜視図であり、図１３（Ｃ）は誘導部材が退避し、開閉翼片が開放された状態を示す斜視図である。
【図１４】従来のパチンコ機の正面説明図である。
【図１５】図１４に示すパチンコ機に備えられた第１種始動口および普通電動役物の拡大図である。
【符号の説明】
【００６５】
１    パチンコ機
２０    普通電動役物（第２の遊技球受入れ装置）
２０ａ    第２始動口（第２の受入口）
２１，２２    開閉翼片（第２の誘導部材）
２１ｃ，２２ｃ    第１腕部（制御装置）
２１ｄ，２２ｄ    第２腕部（制御装置）
２１ｅ，２２ｅ    第３腕部（制御装置）
２５    普通電動役物ソレノイド（アクチュエータ）
２６，２７    伝達機構（制御装置）
３２    特別図柄表示装置（第２の図柄表示装置）
３４    普通図柄表示装置（第１の図柄表示装置）
４０    変動入賞装置（入賞装置）
７０    第１種始動口装置（第１の遊技球受入れ装置）
７１    誘導部材（第１の誘導部材）
７５    第１始動口（第１の受入口）
７８    錘（制御装置）
９１    誘導部材（第１の誘導部材）
１１２    メインＣＰＵ１１２（制御装置）
【図１】
2006102351.tif 000003
【図２】
2006102351.tif 000004
【図３】
2006102351.tif 000005
【図４】
2006102351.tif 000006
【図５】
2006102351.tif 000007
【図６】
2006102351.tif 000008
【図７】
2006102351.tif 000009
【図８】
2006102351.tif 000010
【図９】
2006102351.tif 000011
【図１０】
2006102351.tif 000012
【図１１】
2006102351.tif 000013
【図１２】
2006102351.tif 000014
【図１３】
2006102351.tif 000015
【図１４】
2006102351.tif 000016
【図１５】
2006102351.tif 000017